(57)【要約】【課題】画像形成装置の操作性を向上することを目的とする。【解決手段】コピーモード、ファックスモード、メールモード及びスキャナモードの４個の動作モードを有し、各動作モードにおける処理の内容を所定の設定項目ごとに設定可能な画像形成装置１０には、全ての動作モードの全ての設定項目から選択した設定項目を割り当て可能なご愛用キー群が設けられる。画像形成装置１０では、ファックス待機画面に含まれるファックス待機画面キー群にファックスモードの全ての設定項目から選択した設定項目を割り当て可能であり、ファックスメニュー画面キー群に、ファックス待機画面キー群に割り当てられていない設定項目が割り当てられる。画像形成装置１０は、ご愛用キー群、ファックス待機画面キー群及びファックスメニュー画面キー群に含まれるキーに対する操作を検出すると、当該キーに割り当てられている設定項目についての設定が可能な状態となる。【選択図】図２
2007059983.tif 000002
【特許請求の範囲】
【請求項１】
複数の動作モードを有し、各動作モードにおける処理の内容を所定の設定項目ごとに設定可能な画像形成装置であって、
設定項目を割り当て可能な第１操作対象群と、
設定項目を割り当て可能な第２操作対象群と、
前記第２操作対象群に割り当てられていない設定項目が割り当てられる第３操作対象群と、
を備え、
前記第１操作対象群、前記第２操作対象群及び前記第３操作対象群の各操作対象に対する操作を検出すると、当該操作対象に割り当てられている設定項目についての設定が可能な状態となることを特徴とする画像形成装置。
【請求項２】
請求項１に記載の画像形成装置において、
前記第１操作対象群の各操作対象に、任意の動作モードの任意の設定項目を割り当て可能であることを特徴とする画像形成装置。
【請求項３】
請求項１又は請求項２に記載の画像形成装置において、
前記第１操作対象群の各操作対象に、１つの設定項目のみを割り当て可能であることを特徴とする画像形成装置。
【請求項４】
請求項１ないし請求項３のいずれかに記載の画像形成装置において、
前記第１操作対象群は、ハードウエアキー群であることを特徴とする画像形成装置。
【請求項５】
請求項１ないし請求項３のいずれかに記載の画像形成装置において、
ソフトウエアキー群を表示可能な表示部をさらに備え、
前記第２操作対象群は、各動作モードの待機状態において前記表示部に表示されるソフトウエアキー群であることを特徴とする画像形成装置。
【請求項６】
請求項１ないし請求項３のいずれかに記載の画像形成装置において、
ソフトウエアキー群を表示可能な表示部をさらに備え、
前記第３操作対象群は、所定の操作に応答して、前記表示部に表示されるソフトウエアキー群であることを特徴とする画像形成装置。
【発明の詳細な説明】
【技術分野】
【０００１】
本発明は、複数の動作モードを有し、各動作モードにおける処理の内容を所定の設定項目ごとに設定可能な画像形成装置に関する。
【背景技術】
【０００２】
従来より、複数の動作モードを有するＭＦＰ（Multi Function Peripherals）では、各動作モードにおける処理の内容を所定の設定項目ごとに設定可能となっている。
【０００３】
例えば、コピーモード、ファックスモード、メールモード及びスキャナモード等の動作モードを有するＭＦＰでは、コピーモードにおける画質、濃度及び用紙等、ファックスモードにおける画質、濃度及びリダイヤル等、メールモードにおける画質、濃度及びメールアドレス等並びにスキャナモードにおける画質、濃度及び解像度等の設定項目ごとに処理の内容を設定可能となっている。
【０００４】
そして、従来のＭＦＰでは、メニューキーの押下に応答して表示部に表示されるソフトウエアキー群や各動作モードの待機状態において表示部に表示されるソフトウエアキー群にこれらの設定項目が割り当てられ、設定項目が割り当てられたソフトウエアキーに対する押下操作が検出されると、当該設定項目についての設定を行うための設定画面が表示部に表示され、当該設定項目についての設定が可能な状態となる。
【０００５】
また、操作者の便宜を考慮して、動作モードに関わらず操作の対象となりうるハードウエアキー群に設定項目を割り当てることができるようにしたＭＦＰもある。このようなハードウエアキー群は、「ご愛用キー」や「ＡＮＹＫＥＹ」と呼ばれている。
【０００６】
なお、特許文献１は、任意のキーにコピーモードとファックスモードとを切り替える機能を割り当て可能なＭＦＰを開示している。
【０００７】
【特許文献１】特開２００２−６４６６１号公報
【発明の開示】
【発明が解決しようとする課題】
【０００８】
しかし、従来のＭＦＰでは、ハードウエアキー群に割り当てる設定項目は、限られた選択肢の中から選択する必要があった。
【０００９】
また、メニューキーの押下に応答して表示部に表示されるソフトウエアキー群や各動作モードの待機状態において表示部に表示されるソフトウエアキー群に割り当てられる設定項目は固定されており、変更できなかった。
【００１０】
このため、従来のＭＦＰでは、各設定項目についての設定を行うのが不便であるという問題があった。
【００１１】
本発明は、この問題を解決するためになされたもので、ＭＦＰ等の画像形成装置の操作性を向上することを目的とする。
【課題を解決するための手段】
【００１２】
上記課題を解決するため、請求項１の発明は、複数の動作モードを有し、各動作モードにおける処理の内容を所定の設定項目ごとに設定可能な画像形成装置であって、設定項目を割り当て可能な第１操作対象群と、設定項目を割り当て可能な第２操作対象群と、前記第２操作対象群に割り当てられていない設定項目が割り当てられる第３操作対象群とを備え、前記第１操作対象群、前記第２操作対象群及び前記第３操作対象群の各操作対象に対する操作を検出すると、当該操作対象に割り当てられている設定項目についての設定が可能な状態となる。
【００１３】
請求項２の発明は、請求項１に記載の画像形成装置において、前記第１操作対象群の各操作対象に、任意の動作モードの任意の設定項目を割り当て可能である。
【００１４】
請求項３の発明は、請求項１又は請求項２に記載の画像形成装置において、前記第１操作対象群の各操作対象に、１つの設定項目のみを割り当て可能である。
【００１５】
請求項４の発明は、請求項１ないし請求項３のいずれかに記載の画像形成装置において、前記第１操作対象群は、ハードウエアキー群である。
【００１６】
請求項５の発明は、請求項１ないし請求項３のいずれかに記載の画像形成装置において、ソフトウエアキー群を表示可能な表示部をさらに備え、前記第２操作対象群は、各動作モードの待機状態において前記表示部に表示されるソフトウエアキー群である。
【００１７】
請求項６の発明は、請求項１ないし請求項３のいずれかに記載の画像形成装置において、ソフトウエアキー群を表示可能な表示部をさらに備え、前記第３操作対象群は、所定の操作に応答して、前記表示部に表示されるソフトウエアキー群である。
【発明の効果】
【００１８】
請求項１ないし請求項６の発明によれば、第１操作対象群、第２操作対象群及び第３操作対象群の各操作対象に設定項目を柔軟に割り当てることができるので、画像形成装置の操作性が向上する。
【００１９】
請求項２の発明によれば、第１操作対象群の各操作対象に割り当てる設定項目の動作モードが制限されないので、第１操作対象群に含まれる操作対象の数が少なくても必要な設定項目を割り当てることができる。
【００２０】
請求項３の発明によれば、第１操作対象群の各操作対象に複数の設定項目が割り当てられることがないので、誤操作を防止可能である。
【００２１】
請求項４の発明によれば、動作モードに関わらず第１操作対象群を操作の対象とすることができるので、第１操作対象群に割り当てられた設定項目についての設定が容易になる。
【００２２】
請求項５の発明によれば、第２操作対象群がソフトウエアキー群であるので、第２操作対象群の操作対象の数の増減を任意に行うことができる。
【発明を実施するための最良の形態】
【００２３】
＜１  画像形成装置の全体構成＞
図１は、本発明の好ましい実施形態に係る画像形成装置１０及びその周辺の構成を示すブロック図である。画像形成装置１０は、コピーモード、ファックスモード、メールモード及びスキャナモードの４個の動作モードを有するデジタル複合機（ＭＦＰ；Multi Function Peripherals）である。
【００２４】
図１に示すように、画像形成装置１０は、ＭＰＵ（マイクロプロセッサ；MicroProcessor Unit）１０１、ＲＯＭ１０２及びＲＡＭ１０３を備える。ＭＰＵ１０１、ＲＯＭ１０２及びＲＡＭ１０３によって実現されるマイクロコンピュータ１２０は、ＲＯＭ１０２に格納されたプログラムを実行することにより、画像形成装置１０の各構成を統括制御し、画像形成装置１０の各種機能を実現している。
【００２５】
画像形成装置１０の画像メモリ１０４は、画像形成装置１０が処理対象とする画像を画像データとして記憶する。
【００２６】
また、画像形成装置１０は、画像読取部１０９及び画像記録部１１０を備える。画像読取部１０９は、ＣＣＤ（Charge Coupled Device）イメージセンサ等により原稿上の画像を読み取る。画像読取部１０９は、ＡＤＦ（Automatic Document Feeder）方式又はＦＢＳ（Flat Bed Scanner）方式により原稿上の画像を読み取ることができる。画像記録部１１０は、電子写真方式により、画像を記録媒体上に形成する。
【００２７】
画像形成装置１０には、ユーザインターフェースとして、操作部１１１及び表示部１１２が設けられる。
【００２８】
ネットワークインターフェース１０６は、例えば、イーサネット（登録商標）により、画像形成装置１０をネットワーク３０に接続する。ネットワーク３０は、ルータＲＴ等のネットワーク機器を介してインターネット５０に接続される。これにより、画像形成装置１０は、ネットワーク３０に接続されたパーソナルコンピュータＰＣやインターネット５０に接続されたインターネットファックス装置ＩＦＡＸと通信可能になっている。
【００２９】
ＮＣＵ（網制御装置；Network Control Unit）１０７及びＭＯＤＥＭ（モデム；MOdulator DEModulator）１０８は、一般公衆電話網４０を経由した画像データの送受信に用いられる。ＮＣＵ１０７は、一般公衆電話網４０への接続を制御する。ＮＣＵ１０７は、通信先の電話番号に対応したダイヤル信号を送出する機能及び着信を検出する機能を備える。ＭＯＤＥＭ１０８は、ＩＴＵ（国際電気通信連合）−Ｔ勧告Ｔ.３０にしたがったファックス伝送制御手順に基づいて、Ｖ．１７，Ｖ．２７ｔｅｒ，Ｖ．２９等にしたがった送信データの変調及び受信データの復調を行う。又は、ＭＯＤＥＭ１０８は、これらに加えて、Ｖ．３４にしたがった送信データの変調及び受信データの復調を行う。
【００３０】
コピーモードでは、画像形成装置１０は、画像読取部１０９が読み取った画像を画像記録部１１０に与えることにより、当該画像を記録媒体に印刷する。
【００３１】
ファックスモードでは、画像形成装置１０は、画像読取部１０９が読み取った画像を、一般公衆電話網４０を経由してファックス装置ＦＡＸへＧ３方式やスーパーＧ３方式により送信するとともに、一般公衆電話網４０を経由してファックス装置装置ＦＡＸから送信されてきた画像を受信して画像記録部１１０に与えることにより、当該画像を記録媒体に印刷する。
【００３２】
メールモードでは、画像形成装置１０は、画像読取部１０９が読み取った画像を電子メールに添付し、ネットワーク３０、ルータＲＴ及びインターネット５０を経由してインターネットファックス装置ＩＦＡＸへ送信する。また、メールモードでは、画像形成装置１０は、ＰＯＰ（Post Office Protocol）サーバから電子メールをダウンロードし、当該電子メールに添付されている画像を画像記録部１１０に与えることにより、当該画像を記録媒体に印刷する。
【００３３】
スキャナモードでは、画像形成装置１０は、画像読取部１０９が読み取った画像を、ネットワーク３０を経由してパーソナルコンピュータＰＣへ送信する。
【００３４】
＜２  設定項目＞
画像形成装置１０は、コピーモード、ファックスモード、メールモード及びスキャナモードの各動作モードにおける処理の内容を所定の設定項目ごとに設定可能となっている。
【００３５】
すなわち、画像形成装置１０は、コピーモードにおいては、「画質」「濃度」「用紙」「倍率」「ソート」「集約コピー」「リピート」「ページ分割」「両面コピー」「小冊子コピー」「ミックスコピー」及び「機器設定」の各設定項目ごとに設定を行うことができる。
【００３６】
また、画像形成装置１０は、ファックスモードにおいては、「画質」「濃度」「リダイヤル」「同報」「オフフック」「短縮送信」「ミックス原稿」「ファックスワープ」「ファックス＆コピー」「グループ送信」「拡大送信」「セキュリティー受信」「発信元名」「発信元選択」「送付案内書」「送信確認証」「時刻指定」「読取サイズ」「済スタンプ」「ポーリング」「Ｆコードポーリング」「Ｆコード送信」「海外送信」「メモリー送信」「自動受信」及び「機器設定」の各設定項目ごとに設定を行うことができる。
【００３７】
さらに、画像形成装置１０は、メールモードでは、「画質」「濃度」「メールアドレス」「メール再送」「メール編集」「短縮送信」「ミックス原稿」「拡大送信」「済スタンプ」「発信元名」「発信元選択」「ファックス＆コピー」「時刻指定」「送付案内書」「ファックスワープ」「分割送信」「一括読取」「ＰＯＰ受信」「ファイル形式」「送信確認証」「機器設定」及び「メニュー切換」の各設定項目ごとに設定を行うことができる。
【００３８】
画像形成装置１０は、スキャナモードでは、「画質」「濃度」「解像度」「倍率」「フォルダー」「ユーザー」「メール」「回覧配信」「掲示板」及び「処理依頼」の各設定項目ごとに設定を行うことができる。
【００３９】
もちろん、上述の設定項目は例示であり、これらのうちの一部の設定項目を省略することや、これら以外の設定項目を追加することも妨げられない。
【００４０】
＜３  操作パネルの構成＞
図２は、操作部１１１及び表示部１１２が設けられた操作パネル１３０の構成を示す図である。画像形成装置１０では、表示部１１２がタッチパネルディスプレイとなっており、表示部１１２が操作部１１１の機能を兼ね備えている。すなわち、画像形成装置１０では、ハードウエアキー（スイッチ）のみならず、表示部１１２に表示されるソフトウエアキーも操作の対象とすることができる。
【００４１】
図２に示すように、操作パネル１３０には、ハードウエアキーとして、処理開始指示を画像形成装置１０へ与えるためのスタートキー１３１や数字等を画像形成装置１０へ入力するためのテンキー１３２の他、機能切替キー群１３３、メニューキー１３４及びご愛用キー群１３５が設けられている。
【００４２】
機能切替キー群１３３は、画像形成装置１０の機能すなわち動作モードを切り替えるための機能切替キー１３３ａ〜１３３ｄを含む。画像形成装置１０は、機能切替キー１３３ａ〜１３３ｄのいずれかの押下を検出すると、動作モードを、押下された機能切替キーに対応する動作モードへ切り替え、当該動作モードの待機画面を表示部１１２に表示させる。例えば、画像形成装置１０は、機能切替キー１３３ｂの押下を検出すると、動作モードをファックスモードへ切り替え、図３に示すような、ファックスモードの待機画面（以下では、「ファックス待機画面」とも称する）１５０を表示部１１２に表示させる。
【００４３】
メニューキー１３４は、現在の動作モードにおける処理の内容の設定に用いられるメニュー画面を表示部１１２に呼び出すために用いられる。例えば、画像形成装置１０は、ファックスモードにおいてメニューキー１３４の押下を検出すると、図４に示すようなファックスモードのメニュー画面（以下では、「ファックスメニュー画面」とも称する）１６０を表示部１１２に表示させる。もちろん、メニューキー１３４以外によってメニュー画面が表示部１１２に呼び出されるようにしてもよい。
【００４４】
ご愛用キー群１３５に含まれるご愛用キー１３５ａ〜１３５ｄの各々は、全ての動作モードの全ての設定項目から選択した、任意の動作モードの任意の設定項目を可変に割り当て可能なショートカットキーであり、所望の設定項目の設定画面へのアクセスを容易ならしめるために設けられている。画像形成装置１０は、ご愛用キー１３５ａ〜１３５ｄの各々に対する押下操作を検出すると、押下操作の対象となったご愛用キーに割り当てられている設定項目の設定に用いられる設定画面を表示部１１２に表示させ、当該設定項目についての設定が可能な状態となる。
【００４５】
このように、動作モードに関わらず操作の対象とすることができるご愛用キー群１３５を設けることにより、画像形成装置１０では、ご愛用キー群１３５に割り当てられた設定項目についての設定を容易に行うことができる。ここで、ご愛用キー１３５ａ〜１３５ｄの各々に割り当てることができる設定項目の動作モードは制限されていないので、画像形成装置１０では、ご愛用キー群１３５に含まれるご愛用キーの数が少なくても必要な設定項目を割り当てることができる。さらに、画像形成装置１０では、ご愛用キー１３５ａ〜１３５ｄの各々に１つの設定項目のみを割り当て可能であるので、ご愛用キー１３５ａ〜１３５ｄの各々への複数の設定項目の割り当てに起因する誤操作を防止できる。
【００４６】
なお、図２には、ご愛用キー群１３５に含まれるご愛用キーの数が４個である場合が示されているが、ご愛用キー群１３５に含まれるご愛用キーの数は、３個以下又は５個以上であってもよい。
【００４７】
＜４  待機画面＞
続いて、各動作モードの待機状態において表示部１１２に表示される待機画面について、図３に示すファックス待機画面１５０を一例として参照しながら説明する。
【００４８】
図３に示すように、ファックス待機画面１５０には、ファックスモードの全ての設定項目から選択した任意の設定項目を可変に割り当て可能なソフトウエアキー群であるファックス待機画面キー群１５１が含まれている。ファックス待機画面キー群１５１には、ご愛用キー群１３５と重複した設定項目を割り当てることも許容される。
【００４９】
画像形成装置１０は、ご愛用キー群１３５の場合と同様に、ファックス待機画面キー群１５１に含まれるファックス待機画面キー１５１ａ〜１５１ｃの各々に対する押下操作を検出すると、押下操作の対象となったファックス待機画面キーに割り当てられている設定項目の設定に用いられる設定画面を表示部１１２に表示させ、当該設定項目についての設定が可能な状態となる。
【００５０】
このファックス待機画面キー群１５１は、画像形成装置１０の動作モードがファックスモードとなっている場合のみ操作の対象とすることができる点で、先述のご愛用キー群１３５と相違している。また、ファックス待機画面キー群１５１は、ソフトウエアキー群であるので、ファックス待機画面キー群１５１に含まれるファックス待機画面キーの数の増減を任意に行うことができる点でも、先述のご愛用キー群１３５と相違している。したがって、図３のファックス待機画面１５０では、３個のファックス待機画面キー１５１ａ〜１５１ｃが表示されている場合が示されているが、ファックス待機画面１５０に表示されるファックス待機画面キーの数が、２個以下又は４個以上となることもありうる。なお、単一のページから構成されるファックス待機画面１５０にファックス待機画面キー群１５１に含まれる全てのファックス待機画面キーを表示しきれない場合は、切り替え表示可能な複数のページにわたってファックス待機画面キー群１５１に含まれるファックス待機画面キーを表示するようにすればよい。
【００５１】
なお、待機画面に含まれるソフトウエアキー群に割り当てられている設定項目は動作モードごとに異なっている。すなわち、コピーモードの待機画面（以下では、「コピー待機画面」とも称する）に含まれるコピー待機画面キー群には、コピーモードの全ての設定項目から選択した任意の設定項目が可変に割り当てられ、メールモードの待機画面（以下では、「メール待機画面」とも称する）に含まれるメール待機画面キー群には、メールモードの全ての設定項目から選択した任意の設定項目が可変に割り当てられ、スキャナモードの待機画面（以下では、「スキャナ待機画面」とも称する）に含まれるスキャナ待機画面キー群には、スキャナモードの全ての設定項目から選択した任意の設定項目が可変に割り当てられる。
【００５２】
＜５  メニュー画面＞
続いて、メニューキー１３４の押下操作に応答して表示部１１２に表示されるメニュー画面について、図４に示すファックスメニュー画面１６０を一例として参照しながら説明する。
【００５３】
図４に示すように、ファックスメニュー画面１６０は、ページ切替ボタン１６２の押下により切り替え表示可能な２つのページ１６０ａ，１６０ｂから構成されており（単一のページから構成されることや、３つ以上のページから構成されることもありうる）、ファックスモードの全ての設定項目のうち、「リダイヤル」「同報」「オフフック」「短縮送信」「ミックス原稿」「ファックスワープ」「ファックス＆コピー」「グループ送信」「拡大送信」「セキュリティー受信」「発信元名」「発信元選択」「送付案内書」「送信確認証」「時刻指定」「済スタンプ」「ポーリング」「Ｆコードポーリング」「Ｆコード送信」「海外送信」「メモリー送信」「自動受信」及び「機器設定」という設定項目が割り当てられたソフトウエアキー群であるファックスメニュー画面キー群１６１が含まれている。そして、画像形成装置１０は、ご愛用キー群１３５の場合と同様に、ファックスメニュー画面キー群１６１に含まれるファックスメニュー画面キーの各々に対する押下操作を検出すると、押下操作の対象となったファックスメニュー画面キーに割り当てられている設定項目の設定に用いられる設定画面を表示部１１２に表示させ、当該設定項目についての設定が可能な状態となる。
【００５４】
ファックスメニュー画面キー群１６１に割り当てられている設定項目は、ファックス待機画面キー群１５１に割り当てられていない設定項目となっている。このため、ファックス待機画面キー群１５１に割り当てられる設定項目によって、ファックスメニュー画面キー群１６１に割り当てられる設定項目やファックスメニュー画面キーの数は変化する。
【００５５】
なお、メニュー画面は、動作モードごとに準備されており、メニュー画面に含まれるソフトウエアキー群に割り当てられている設定項目は動作モードごとに異なっている。すなわち、コピーモードのメニュー画面（以下では、「コピーメニュー画面」とも称する）に含まれるコピーメニュー画面キー群には、コピー待機画面キー群に割り当てられていない設定項目が割り当てられ、メールモードのメニュー画面（以下では、「メールメニュー画面」とも称する）に含まれるメールメニュー画面キー群には、メール待機画面キー群に割り当てられていない設定項目が割り当てられ、スキャナモードのメニュー画面（以下では、「スキャナメニュー画面」とも称する）に含まれるスキャナメニュー画面キー群には、スキャナ待機画面キー群に割り当てられていない設定項目が割り当てられる。
【００５６】
＜６  設定項目の割り当て＞
図５は、ご愛用キー群１３５へ割り当てられる設定項目の編集に用いられるご愛用キー設定画面１７０を示す図である。ご愛用キー設定画面１７０は、所定の操作により表示部１１２に呼び出される。
【００５７】
図５に示すように、切り替え表示可能な２つのページ１７０ａ，１７０ｂから構成されるご愛用キー設定画面１７０には、ご愛用キー群１３５に割り当てられている設定項目（図５では、「短縮送信」「自動受信」「済スタンプ」及び「オンフック」）が表示されている。なお、ご愛用キー群１３５には、画像形成装置１０の製造業者が推奨する設定項目が初期設定として割り当てられているが、当該割り当ては所定の操作により編集可能となっている。
【００５８】
図６は、待機画面に含まれるソフトウエアキー群へ割り当てられる設定項目の編集の対象を、コピーモード、ファックスモード、メールモード及びスキャナモードの中から操作者に選択させるための動作モード選択画面１８０を示す図である。動作モード選択画面１８０は、所定の操作により表示部１１２に呼び出され、切り替え表示可能な２つのページ１８０ａ，１８０ｂから構成されている。
【００５９】
図７は、動作モード選択画面１８０において、ファックスモードが選択された場合に表示部１１２に表示される割り当て編集画面１９０を示す図である。割り当て編集画面１９０は、切り替え表示可能な３つのページ１９０ａ〜１９０ｃから構成されており、ファックス待機画面キー群１６１に割り当てられている設定項目（図７では、「画質」「読取サイズ」「濃度」「リダイヤル」「グループ送信」及び「同報」）が編集可能に表示されている。ここで、ファックス待機画面キー群１６１に含まれるファックス待機画面キーの数は増減可能であるので、割り当て編集画面１９０においては、既に割り当てられている設定項目の削除を行うことができるとともに、「＜未登録＞」表示がなされている部分への所定の操作により、新たな設定項目を割り当てることもできるようになっている。
【００６０】
このような画像形成装置１０によれば、ご愛用キー群、待機画面に含まれるソフトウエアキー群及びメニュー画面に含まれるソフトウエアキー群の各キーに柔軟に設定項目を割り当てることができるので、操作性を向上させることができる。
【図面の簡単な説明】
【００６１】
【図１】本発明の好ましい実施形態に係る画像形成装置１０及びその周辺の構成を示すブロック図である。
【図２】操作部１１１及び表示部１１２が設けられた操作パネルの構成を示す図である。
【図３】表示部１１２に表示されるファックス待機画面１５０を示す図である。
【図４】表示部１１２に表示されるファックスメニュー画面１６０を示す図である。
【図５】ご愛用キー群１３５へ割り当てられる設定項目の編集に用いられるご愛用キー設定画面１７０を示す図である。
【図６】待機画面に含まれるソフトウエアキー群へ割り当てられる設定項目の編集の対象を、コピーモード、ファックスモード、メールモード及びスキャナモードの中から操作者に選択させるための動作モード選択画面１８０を示す図である。
【図７】動作モード選択画面１８０において、ファックスモードが選択された場合に表示部１１２に表示される割り当て編集画面１９０を示す図である。
【符号の説明】
【００６２】
１０  画像形成装置
１０９  画像読取部
１１０  画像記録部
１１１  操作部
１１２  表示部
１３０  操作パネル
１３３  機能切替キー群
１３４  メニューキー
１３５  ご愛用キー群
１５０  ファックス待機画面
１５１  ファックス待機画面キー群
１６０  ファックスメニュー画面
１６１  ファックスメニュー画面キー群
１７０  ご愛用キー設定画面
１８０  動作モード選択画面
１９０  割り当て編集画面
【図１】
2007059983.tif 000003
【図２】
2007059983.tif 000004
【図３】
2007059983.tif 000005
【図４】
2007059983.tif 000006
【図５】
2007059983.tif 000007
【図６】
2007059983.tif 000008
【図７】
2007059983.tif 000009